(57)【特許請求の範囲】
【請求項１】
電子画像を撮影するための撮像素子と、
この撮像素子を含む電気部品を両面に実装可能な基板と、
上記撮像素子に被写体像を結像するための撮影レンズを保持するものであって、上記基板の表側の面に取り付けられるレンズ鏡筒と、
上記撮像素子により撮影された画像を観察するためのものであって、上記基板の裏側の面における上記撮像素子の裏となる位置に配置されるモニタ装置と、
を具備し、
上記基板には、上記モニタ装置及び上記レンズ鏡筒を取り付けるためのビス孔が設けられ、
上記モニタ装置と上記レンズ鏡筒は、上記ビス孔を介して上記基板を挟んで一体的にビス締めされて、上記基板に取り付けられることを特徴とする電子撮像装置。
【請求項２】
当該電子撮像装置の前面側を覆う外装となる前カバーと、
当該電子撮像装置の後面側を覆う外装となる後カバーと、
をさらに具備し、
上記基板は、上記前カバーと上記後カバーに挟まれてビス締めされることを特徴とする請求項１に記載の電子撮像装置。
【発明の詳細な説明】
【０００１】
【発明の属する技術分野】
本発明は、電子撮像装置、より詳しくは、電子画像を撮影するための撮像素子を備えた電子撮像装置に関する。
【０００２】
【従来の技術】
電子画像を撮影するための撮像素子を備えた電子撮像装置としては、電子カメラが代表的な例として挙げられるが、該電子カメラは、近年、盛んに製品開発がなされて販売されており、銀塩カメラを含むカメラ市場においてマーケットシェアーを伸ばしつつある。
【０００３】
このような電子カメラは、被写体像を光電変換して電子画像信号を出力する撮像素子と、この撮像素子から出力される電子画像信号を記録する記録媒体と、を一般的に備えており、さらに、製品によっては、撮像された電子画像を確認することができるようにモニタ装置等を備えたものもある。
【０００４】
上記電子カメラを製造する際には、該電子カメラの構成を、上記撮像素子を含む撮像素子ユニット、上記記録媒体を含む記録媒体ユニット、あるいはその他のユニットなどに分けて、それぞれのユニットのフレームを支持部材として各別に組み付ける手段が知られている。
【０００５】
しかし、各機能部位をユニット化する場合には、互いの隙間同士を有効に使うことなどが困難であるために、電子カメラの小型化を図る上では不利である。
【０００６】
そこで、例えば特開平６−８６１２０号公報には、被写体像を電子画像信号に変換する固体撮像素子と、この固体撮像素子により撮像された電子画像信号を記録する固体メモリやハードディスク等の記録媒体と、を備えた電子スチルカメラにおいて、記録媒体を保持するための保持部材に固体撮像素子を実装した基板を組み付けるようにする技術が記載されている。
【０００７】
【発明が解決しようとする課題】
しかしながら、上記特開平６−８６１２０号公報に記載されたようなものでは、記録媒体がある程度の大きさを有する場合、つまり記録媒体の保持部材が固体撮像素子を実装した基板を組み付け得る程度の大きさを有する場合には有効であるが、近年では、より小型化された記録媒体が用いられるようになってきているために、必要な大きさを確保することが困難になっている。
【００１０】
本発明は、組立性が良く、必要な強度を備えた薄型の電子撮像装置を提供することを目的としている。
【００１１】
【課題を解決するための手段】
上記の目的を達成するために、第１の発明による電子撮像装置は、電子画像を撮影するための撮像素子と、この撮像素子を含む電気部品を両面に実装可能な基板と、上記撮像素子に被写体像を結像するための撮影レンズを保持するものであって上記基板の表側の面に取り付けられるレンズ鏡筒と、上記撮像素子により撮影された画像を観察するためのものであって上記基板の裏側の面における上記撮像素子の裏となる位置に配置されるモニタ装置と、を備え、上記基板には、上記モニタ装置及び上記レンズ鏡筒を取り付けるためのビス孔が設けられ、上記モニタ装置と上記レンズ鏡筒は、上記ビス孔を介して上記基板を挟んで一体的にビス締めされて、上記基板に取り付けられるものである。
【００１２】
また、第２の発明による電子撮像装置は、上記第１の発明による電子撮像装置において、当該電子撮像装置の前面側を覆う外装となる前カバーと、当該電子撮像装置の後面側を覆う外装となる後カバーと、をさらに備え、上記基板は、上記前カバーと上記後カバーに挟まれてビス締めされるものである。
【００１３】
【発明の実施の形態】
以下、図面を参照して本発明の実施の形態を説明する。
図１から図３は本発明の一実施形態を示したものであり、図１は電子カメラの構成を示す分解斜視図、図２は電子カメラの主として電気的な構成を示すブロック図、図３は電子カメラのメインシーケンスを示すフローチャートである。
【００１４】
この実施形態は、本発明の電子撮像装置を電子カメラに適用した例である。
【００１５】
この電子カメラは、図１に示すように、光学式のファインダ５を取り付けたレンズ鏡筒４を基板３に固定し、この基板３を挟み込むように前側から前カバー１を、後ろ側から後カバー２を取り付けて、ビス締めすることにより一体的に組み立てられたものである。
【００１６】
上記前カバー１は、例えばポリカーボネイトやＡＢＳなどのプラスチックにより形成されていて、ほぼ中央部に上記レンズ鏡筒４を挿通するための円形孔６が穿設され、その上部にファインダ／ＡＦ（オートフォーカス）窓７が、このファインダ／ＡＦ窓７の右隣りにストロボ発光窓８が設けられている。
【００１７】
上記後カバー２は、前カバー１と同様に例えばポリカーボネイトやＡＢＳなどのプラスチックにより形成されていて、内面側の中央部に後述するモニタ装置１９に表示される画像を観察可能とする保護ガラス９が、この保護ガラス９の上部に上記ファインダ５を観察するためのファインダ接眼窓１０が、上記保護ガラス９の右側に電源ボタン１２とセルフ／リモコンモードボタン１３が、該保護ガラス９の左側にストロボモードボタン１５とＤＳＰモードボタン１６が、上記ストロボモードボタン１５の上部にズームボタン１４が、上面にレリーズボタン１１がそれぞれ配設され、さらに内面側の４隅にビス孔１７が、左右辺縁の内面側に位置決め用のボス１８が、各設けられている。
【００１８】
上記レリーズボタン１１は、２段式の押圧ボタンであり、１段目の押圧操作によりＡＦやＡＥが行われ、２段目の押圧操作により撮影が行われるようになっている。
【００１９】
上記電源ボタン１２は、押圧すると電子カメラがオン状態となって沈胴状態にあったレンズ鏡筒４がワイド端まで駆動され、もう一度押圧するとオフ状態になってレンズ鏡筒４が再び沈胴状態に駆動されるものである。
【００２０】
上記セルフ／リモコンモードボタン１３は、セルフ撮影モードまたはリモコン撮影モードを設定するためのものであり、押圧する毎に、モード解除→セルフ撮影モード→リモコン撮影モード→モード解除の順に、巡回的に切り替わるようになっている。
【００２１】
上記ズームボタン１４は、上記レンズ鏡筒４に内蔵される撮影レンズの焦点距離を手動により変更するためのものであり、さらに過去に撮像された電子画像を観察するために選択する画像スクロールボタンの機能も兼ねるように構成されている。
【００２２】
上記ストロボモードボタン１５は、ストロボの発光モードを設定するためのものであり、押圧する毎に、例えば低輝度自動発光モード→赤目発光モード→発光オフモード→強制発光モード→夜景モード→低輝度自動発光モードの順に、巡回的に切り替わるようになっている。
【００２３】
上記ＤＳＰモードボタン１６は、ＤＳＰモードに設定するためのモードボタンであり、押圧すると、過去に撮影された電子画像が後述するモニタ装置１９に表示されて、観察することができるようになっている。また、このＤＳＰモードボタン１６を再度押圧すると、ＤＳＰモードが解除されるようになっている。
【００２４】
上記基板３は、やや横長の矩形をなしある程度の剛性を有する基板である。この基板３の四隅には、ビス孔２７が穿設されていて、これらのビス孔２７は、上記後カバー２のビス孔１７に各対応するとともに、上記前カバー１に設けられている図示しない４隅のビス孔に各対応するものとなっている。
【００２５】
さらに、該基板３の右側辺縁の中程には円形の位置決め孔２８ａが、左側辺縁の中程には略長円形の位置決め孔２８ｂが、それぞれ穿設されていて、これらは、上記後カバー２のボス１８に各対応しており、該基板３を後カバー２に対して位置決めするためのものである。
【００２６】
この基板３は、両面実装可能な基板であり、表側（レンズ鏡筒４側）の面には、次のような部品等が実装されている。
【００２７】
まず、上記前カバー１のファインダ／ＡＦ窓７に対応する基板３上には、ＡＦモジュール２４と、矩形孔２０と、が設けられている。
【００２８】
上記ＡＦモジュール２４は、被写体までの距離を測定するためのものであり、セパレータ光学系２４ａを備えている。
【００２９】
そして、上記矩形孔２０は、上記ファインダ５による像を、上記ファインダ接眼窓１０から観察可能とするためのものである。
【００３０】
さらに、上記前カバー１のストロボ発光窓８に対応する基板３上には、ストロボを構成する発光管３３と反射傘３４とが取り付けられている。
【００３１】
そして、該基板３の表側の面のほぼ中央部には、例えばＣＭＯＳタイプの単板式カラー撮像素子として構成された撮像素子２１が実装されている。
【００３２】
その他にも、基板３の表側の面には、バッテリ、メインコンデンサ、ＤＣコネクタ、外部メモリホルダ等でなる各種の電気部品２２，２３，２５，２６，３１，３２が、上記レンズ鏡筒４が取り付けられる中央部分を除いて、左右に分かれて実装されている。
【００３３】
一方、上記基板３の裏側（後カバー２側）の面には、電子画像を表示するためのモニタ装置１９が配設されていて、このモニタ装置１９には上側中央部と下側左右との合計３ヶ所に取付部が突設され、これらの取付部には各ビス孔１９ａが穿設されている。
【００３４】
一方、基板３には、このモニタ装置１９のビス孔１９ａに各対応する位置にビス孔２９が穿設されている。
【００３５】
さらに、上記レンズ鏡筒４には、同様に基端側の周方向の３ヶ所から取付部が突設されており、この取付部にもそれぞれビス孔３９が穿設されていて、このビス孔３９は、上記基板３のビス孔２９や上記モニタ装置１９のビス孔１９ａに各対応する位置となっている。
【００３６】
これにより、ファインダ５が取り付けられたレンズ鏡筒４と、モニタ装置１９とが、共通のビスを用いて、上記基板３に対して固定されるようになっている。
このとき、上記撮像素子２１の取付位置と上記ビス孔２９の位置とは正確に決められているために、レンズ鏡筒４を基板３に取り付けると、その光軸Ｏが、上記撮像素子２１の撮像面の所定位置に合致するようになっている。
【００３７】
さらに、基板３の裏側の面には、上記後カバー２の各ボタン１２，１３，１４，１５，１６に各対応するスイッチパターンが形成されているとともに、その他の図示しない電気部品が、該基板３の表側の面または裏側の面に適宜実装されている。
【００３８】
次に、図２を参照して、この電子カメラの主として電気的な構成について説明する。
【００３９】
上記レンズ鏡筒４内には、被写体像を上記撮像素子２１の撮像面に結像させるための撮影レンズが配設されており、この撮影レンズは、例えば、負レンズ４ａ、正レンズ４ｂ、正レンズ４ｃ、負レンズ４ｄを光軸上前方側から後方側に向かって配置して構成されている。また、上記正レンズ４ｂと正レンズ４ｃの間には、絞り４ｅが配設されている。
【００４０】
該レンズ鏡筒４により撮像素子２１に被写体像が結像されると、該撮像素子２１は、光電変換を行ってアナログの撮像信号を生成し、さらにデジタルイメージデータに変換した後に、画像処理ＬＳＩ４２に出力するようになっている。なお、この撮像素子２１は、後述するメインＣＰＵ４１により算出されたシャッタ速度により、画像を取り込むようになっている。
【００４１】
この画像処理ＬＳＩ４２は、ＲＩＳＣプロセッサと種々のハードウエアマクロとを内蔵するものであり、該画像処理ＬＳＩ４２には、制御用のプログラムを格納するフラッシュメモリ６６が接続されている。これにより、該画像処理ＬＳＩ４２は、フラッシュメモリ６６に書き込まれたプログラムに従って、上記ＲＩＳＣプロセッサが上記ハードウエアマクロを制御するようになっている。
【００４２】
上記ハードウエアマクロには、上記フラッシュメモリ６６や後述するＳＤＲＡＭ６７等の外部メモリを制御する外部メモリコントローラと、内部キャッシュメモリと、ＪＰＥＧ圧縮／伸張コントローラと、各種画像処理機能（ゲイン調節、γ補正、画素補間、ＲＧＢ／ＹＣ変換、輪郭強調、彩度補正、色調調整等を含む）と、後述するＵＳＢ６４やＪＴＡＧ６５への入出力を制御する外部インターフェース回路と、後述するＬＣＤドライバ５７に出力される表示用信号を形成するための形成回路と、が含まれている。
【００４３】
上記画像処理ＬＳＩ４２には、無線６３と、ＵＳＢ６４と、ＪＴＡＧ６５と、上記フラッシュメモリ６６と、ＳＤＲＡＭ６７と、外部メモリ６８と、が接続されている。
【００４４】
上記無線６３は、無線を介して外部の機器と通信を行うための回路、上記ＵＳＢ６４は、ユニバーサルシリアルバス（Universal Serial Bus）として知られる有線で外部の機器と通信を行うための回路、上記ＪＴＡＧ６５は、「The Joint Test Action Group」によりＩＥＥＥ１１４９．１として標準化されたバウンダリ・スキャン用のアーキテクチャとそのシリアルポートのことであり、主に調整に用いられる回路である。
【００４５】
また、上記フラッシュメモリ６６は、上述したように、上記ＲＩＳＣプロセッサが実行するためのプログラムを格納するとともに、さらに、最終的に確定された電子画像を記憶するための不揮発性メモリも兼ねており、この電子カメラの電源がオフされてもその記憶内容が保持されるものである。
【００４６】
上記ＳＤＲＡＭ６７は、上記画像処理ＬＳＩ４２により、画像処理を行う前の画像や、あるいは画像処理を行っている最中の画像データを一時的に記憶するための作業用メモリである。
【００４７】
上記外部メモリ６８は、この電子カメラに着脱自在に装着されるものであり、上記画像処理ＬＳＩ４２により画像処理された画像データを記録しておくためのものである。この外部メモリ６８は、上記外部メモリホルダに設けられた外部メモリ用端子を介して、電気的に接続されるように装着される。
【００４８】
上記画像処理ＬＳＩ４２は、バスを介してメインＣＰＵ４１と接続され、必要なデータの授受を行って、制御されるようになっている。
【００４９】
メインＣＰＵ４１は、この電子カメラ全体を統括的に制御するものである。
【００５０】
このメインＣＰＵ４１には、ＥＥＰＲＯＭ４３が接続されており、このＥＥＰＲＯＭ４３は、電子カメラの個体毎のばらつきを抑制するための調整値を格納する不揮発性メモリであって、該調整値は、工場において出荷時にカメラ毎に書き込まれるようになっている。
【００５１】
上記メインＣＰＵ４１には、デート回路４７が接続されており、画像が撮影された日時等の情報が、該画像とともに記録されるようになっている。
【００５２】
さらに、上記メインＣＰＵ４１には、上記ＡＦモジュール２４が接続されている。このＡＦモジュール２４は、被写体像を２像に分離するためのセパレータ光学系２４ａと、このセパレータ光学系２４ａの結像位置に配置されたラインセンサ２４ｂと、を有して構成されており、公知の位相差法によって焦点検出が行われるようになっている。
【００５３】
該ＡＦモジュール２４から出力された信号は、上記メインＣＰＵ４１に入力されて、２像の間隔を求めることにより、上記レンズ鏡筒４の撮影レンズを合焦位置に駆動するための駆動量データが演算されるようになっている。
【００５４】
また、上記メインＣＰＵ４１には、ＩＦＩＣ４４が接続されている。このＩＦＩＣ４４は、各回路とのインターフェース機能を司どるものであり、該ＩＦＩＣ４４には、測光センサ４８と、リモコン受光センサ４９と、ドライバ回路５０とが接続されるとともに、後述するズーム駆動機構５２、ピント駆動機構５４、絞り駆動機構５５に各設けられたエンコーダからの検出信号が入力されるようになっている。
【００５５】
上記測光センサ４８は、被写体の輝度を測定するためのものであり、該測光センサ４８の出力をＩＦＩＣ４４を介してメインＣＰＵ４１が受け取ると、それに基づいて該メインＣＰＵ４１が、適正露光となるような絞り値とシャッタ速度との組み合わせでなる露出値を演算するようになっている。
【００５６】
上記リモコン受光センサ４９は、この電子カメラを遠隔からレリーズ動作させるリモコンからの、例えば赤外線による信号を受光するためのセンサであり、上記セルフ／リモコンモードボタン１３によりリモコン撮影モードに設定されているときに機能するようになっている。
【００５７】
上記ドライバ回路５０は、該ＩＦＩＣ４４を介して上記メインＣＰＵ４１の命令を受けることにより、ズーム用のモータ５１と、フォーカス用のモータ５３とを制御して駆動するものである。
【００５８】
上記ズーム用のモータ５１は、メカニカル切換機構を含むズーム駆動機構５２を介して、上記レンズ４ａ，４ｂ，４ｃ，４ｄを駆動しズーム動作を行うようになっている。このズーム駆動機構５２には、上述したようにエンコーダが設けられており、ズーム位置を検出して、検出信号を上記ＩＦＩＣ４４に出力するようになっている。
【００５９】
上記フォーカス用のモータ５３は、ピント駆動機構５４を介して、上記駆動量データに基づき上記レンズ４ａ，４ｂを駆動し、焦点調節動作を行うようになっている。このピント駆動機構５４にも、同様にエンコーダが設けられており、フォーカス位置を検出して、検出信号を上記ＩＦＩＣ４４に出力するようになっている。
【００６０】
さらに、絞り駆動機構５５は、上記メインＣＰＵ４１により算出された絞り値に基づいて上記絞り４ｅを駆動するものであり、同様にエンコーダが設けられていて、絞り４の状態を検出して、検出信号を上記ＩＦＩＣ４４に出力するようになっている。
【００６１】
上記メインＣＰＵ４１には、スイッチ回路５６が接続されており、このスイッチ回路５６は、上記レリーズボタン１１の半押し操作に連動してオンする第１レリーズスイッチと、該レリーズボタン１１の深押し操作に連動してオンする第２レリーズスイッチと、上記電源ボタン１２の押圧に連動してオン／オフするパワースイッチと、上記セルフ／リモコンモードボタン１３に連動するセルフ／リモコンモードスイッチと、上記ズームボタン１４に連動するズームスイッチと、上記ストロボモードボタン１５に連動するストロボモードスイッチと、上記ＤＳＰモードボタン１６に連動するＤＳＰモードスイッチと、を含むとともに、その他のメカニカル機構により動作する図示しない検出スイッチなども含んで構成されている。
【００６２】
上記メインＣＰＵ４１には、ストロボ用のメインコンデンサや昇圧回路等を含んでなるストロボ回路４６が接続されている。このストロボ回路４６は、上記メインコンデンサの充電処理を行うとともに、発光指示信号をトリガ回路４５に出力するものである。トリガ回路４５は、発光指示信号を受けると、トリガ信号を発生させる。これにより、上記発光管３３に高電圧が印加され、内部に封止されているキセノンガスが励起されて発光する。こうして発光された光は、反射傘３４により反射された後に、ストロボ発光窓８を介して照射され、被写体を照明するようになっている。
【００６３】
さらに、上記画像処理ＬＳＩ４２には、モニタ装置１９のＬＣＤドライバ５７とＬＥＤドライバ５９が接続されている。
【００６４】
ＬＣＤドライバ５７は、該画像処理ＬＳＩ４２から表示用信号を受けて、例えば反射型として構成されたＬＣＤモニタ５８を駆動することにより、該ＬＣＤモニタ５８上に形成されている表示セグメントが駆動されて、画像として視覚化されるようになっている。
【００６５】
また、ＬＥＤドライバ５９は、上記画像処理ＬＳＩ４２からフロントライト点灯信号を受けて、白色ＬＥＤ６０を点灯させるものであり、該白色ＬＥＤ６０の明るさを一定に制御するための定電流回路を含んで構成されている。この白色ＬＥＤ６０により発光された光は、導光板６１を介して上記ＬＣＤモニタ５８に照射され、補助照明として機能するようになっている。
【００６６】
次に、図３を参照して、この電子カメラのメインシーケンスについて説明する。
【００６７】
このメインシーケンスは、サブルーチンとして構成されていて、電子カメラに電池等の電源が装填されると、上記メインＣＰＵ４１が動作を開始し、このサブルーチン「メインシーケンス」がコールされて実行されるようになっている。
【００６８】
動作が開始されると、上記電源ボタン１２に連動するパワースイッチがオンしているか否かを判断する（ステップＳ１）。
【００６９】
ここでオフしていると判断された場合には、上記画像処理ＬＳＩ４２に上記モニタ装置１９をオフするように指示して上記ＬＣＤモニタ５８や白色ＬＥＤ６０を消灯し（ステップＳ２）、その後に第１スタンバイ処理を行う（ステップＳ３）。
【００７０】
スタンバイ処理は、メインＣＰＵ４１の動作を停止する前に、停止後に該メインＣＰＵ４１が再び動作を開始するための条件設定を行うものであり、この第１スタンバイ処理では、パワースイッチがオンすることにより、動作を開始をするように設定される。
【００７１】
この第１スタンバイ処理が行われた後は、メインＣＰＵ４１の動作を停止して、スタンバイ状態に移行する。なお、スタンバイ状態が解除された場合は、サブルーチン「メインシーケンス」の先頭から実行されることになる。
【００７２】
また、上記ステップＳ１において、パワースイッチがオンしていると判断された場合には、上記レンズ鏡筒４を沈胴位置からワイド位置に繰り出すとともに上記画像処理ＬＳＩ４２をオンするパワーオン処理を行う（ステップＳ４）。
【００７３】
そして、該画像処理ＬＳＩ４２に指示して上記モニタ装置１９をオンさせ（ステップＳ５）、ストロボ回路４６に指示してメインコンデンサへの充電を行なわせる（ステップＳ６）。
【００７４】
そして、該メインＣＰＵ４１に内蔵されているタイマのカウントを開始する（ステップＳ７）。このタイマは、所定時間毎にカウントアップされるカウンタであって、カウンタ値を所定の初期値にセットした後に、カウントが開始されるようになっている。
【００７５】
その後、上記レリーズボタン１１の半押しにより上記第１レリーズスイッチがオンしたか否かを判断する（ステップＳ８）。
【００７６】
ここで、該第１レリーズスイッチがオフである場合には、上記ズームボタン１４の操作によりズームスイッチがオンしているか否かを判断し（ステップＳ１４）、オンしている場合には、レンズ鏡筒４の焦点距離を変更する処理を行う（ステップＳ１５）。
【００７７】
このステップＳ１５の処理が終了するか、あるいは上記ステップＳ１４において、ズームスイッチがオフであると判断された場合には、上記スイッチ回路５６に含まれるその他のボタン類に連動したスイッチの状態を検出し（ステップＳ１６）、何れかのスイッチがオンであると判断された場合には、そのスイッチの種類に応じた処理を行う（ステップＳ１７）。
【００７８】
このステップＳ１７の処理が終了するか、あるいは上記ステップＳ１６においてその他のスイッチもオフであると判断された場合には、パワースイッチがオンのままであるか否かを判断し（ステップＳ１８）、オフになっている場合には、上記ステップＳ２へ行って、上述したような処理を行う。
【００７９】
また、ステップＳ１８において、パワースイッチがオンのままであると判断された場合には、上記ステップＳ７でカウントを開始したタイマがオーバーフローしているか否か、すなわち所定時間が経過したか否かを判断する（ステップＳ１９）。
【００８０】
ここでオーバーフローしていない場合には上記ステップＳ８に戻って上述したような動作を繰り返し、一方オーバーフローしている場合には、上記画像処理ＬＳＩ４２にモニタ装置１９をオフするように指示する（ステップＳ２０）。
【００８１】
そして、第２スタンバイ処理を行う（ステップＳ２１）。この第２スタンバイ処理は、上記ステップＳ３における第１スタンバイ処理と同様に、停止後にメインＣＰＵ４１が再び動作を開始するための条件設定を行うものであり、ここでは、各種の操作ボタンに連動するスイッチの状態変化によって、動作を開始するように設定される。
【００８２】
この第２スタンバイ処理が行われた後は、メインＣＰＵ４１の動作を停止して、スタンバイ状態に移行する。なお、スタンバイ状態が解除された場合は、上記ステップＳ５から実行されることになる。
【００８３】
一方、上記ステップＳ８において、第１レリーズスイッチがオンしていると判断された場合には、上記測光センサ４８の出力に基づき被写体の輝度を測定する（ステップＳ９）。
【００８４】
そして、上記ＡＦモジュール２４から入力された信号に基づいて、２像の間隔を求め、合焦位置に駆動するための撮影レンズの駆動量データを演算する。演算された駆動量データに応じて、上記ＩＦＩＣ４４およびドライバ回路５０を介してモータ５３を駆動させ、上記レンズ鏡筒４内の各レンズ４ａ，４ｂを移動して焦点位置を変更させる（ステップＳ１０）。
【００８５】
上記ステップＳ９で得られた被写体輝度値に基づき、撮影モードに応じたプログラム線図によって、適正露光を得ることができる絞り値とシャッタ速度を演算する（ステップＳ１１）。
【００８６】
その後、上記レリーズボタン１１の深押しにより、第２レリーズスイッチがオンしたか否かを判断し（ステップＳ１２）、オフのままである場合には上記ステップＳ８に戻って上述した動作を繰り返し、一方、オンになった場合には、サブルーチン「撮影シーケンス」をコールして、撮像素子２１による撮像動作を行わせる（ステップＳ１３）。
【００８７】
この撮影動作が終了したら、上記ステップＳ５に行って上述したような動作を繰り返すようになっている。
【００８８】
続いて、上述したような電子カメラの組み立て方について、上記図１を参照して説明する。
【００８９】
まず、上記ファインダ５をレンズ鏡筒４に取り付けておく。
【００９０】
次に、電気部品が実装された基板３に設けられたビス孔２９に、レンズ鏡筒４に設けられたビス孔３９を重ねるように、該基板３に対してレンズ鏡筒４を位置合わせする。
【００９１】
そして、上記モニタ装置１９に設けられたビス孔１９ａを、上記ビス孔２９，３９に重ねるように、基板３およびレンズ鏡筒４に対して、モニタ装置１９を位置合わせする。
【００９２】
さらに、上記ビス孔２９，３９，１９ａに共通してビスを締結することにより、レンズ鏡筒４と基板３とモニタ装置１９とを組み付ける。このように、基板３とレンズ鏡筒４とモニタ装置１９とを、ビス締めすることにより一体的に組み立てているために、強度を補強する機能も果たしている。
【００９３】
その後に、後カバー２に設けられた位置決め用のボス１８に、レンズ鏡筒４とモニタ装置１９を組み付けた基板３の位置決め孔２８ａ，２８ｂがそれぞれ係入されるように、後カバー２に基板３を載置する。これにより、後カバー２に対する基板３の位置決めがなされる。
【００９４】
このときには、上記ファインダ５は、基板３に設けられた矩形孔２０と、ファインダ接眼窓１０に対応して位置決めされ、該ファインダ接眼窓１０を介してファインダ５を観察することができるようになる。
【００９５】
また、上記後カバー２に配設された各ボタン１２，１３，１４，１５，１６の先端部には導伝塗料が塗布されており、該ボタンを押圧したときに、基板３に各対応して設けられている上記スイッチパターンに接触して通電することにより、スイッチのオンが行われるようになっている。
【００９６】
基板３が位置決めされた後カバー２の前側から、さらに前カバー１を取り付けて、該後カバー２のビス孔１７からビスを螺合することにより、該ビス孔１７と基板３のビス孔２７と、前カバー１の図示しないビス孔とが共通して締結され、この電子カメラが組み立てられる。
【００９７】
このような実施形態によれば、組立性が良く、必要な強度を備えた薄型の携帯性の良い電子カメラとなる。
【００９８】
なお、本発明は上述した実施形態に限定されるものではなく、発明の主旨を逸脱しない範囲内において種々の変形や応用が可能であることは勿論である。
【００９９】
【発明の効果】
以上説明したように本発明によれば、組立性が良く、必要な強度を備えた薄型の電子撮像装置となる。
【図面の簡単な説明】
【図１】本発明の一実施形態における電子カメラの構成を示す分解斜視図。
【図２】上記実施形態における電子カメラの主として電気的な構成を示すブロック図。
【図３】上記実施形態における電子カメラのメインシーケンスを示すフローチャート。
【符号の説明】
１…前カバー
２…後カバー
３…基板
４…レンズ鏡筒
５…ファインダ
１７…ビス孔
１８…ボス
１９…モニタ装置
１９ａ…ビス孔
２１…撮像素子
２７…ビス孔
２８ａ，２８ｂ…位置決め孔
２９…ビス孔
３９…ビス孔
【図１】
0004574914.tif 000002
【図２】
0004574914.tif 000003
【図３】
0004574914.tif 000004